(57)【要約】【課題】蒲団を押さえるレバーａ・ｂを、外圧を受けても伸びやずれを生じない、機械的な手段により、蒲団を押さえる位置に保持せしめるようにする。【解決手段】正面視においてゲート状に形成した外側枠体１の内側に、略相似のゲート状に形成した内側枠体２を、略嵌合状態に重ね合わせ、それら内・外の枠体１・２を、それらの各天板部１０・２０の中心部位に設けた連結軸部３により、一方に対し他方が自在に旋回するよう連結し、その連結軸部３には、一方に対する他方の回動を一方向の回動に規制するワンウエイクラッチ４を組込む。【選択図】図２５
2006204424.tif 000002
【特許請求の範囲】
【請求項１】
正面視においてゲート状に形成した外側枠体１の内側に、略相似のゲート状に形成した内側枠体２を、略嵌合状態に重ね合わせ、それら内・外の枠体１・２を、それらの各天板部１０・２０の中心部位に設けた連結軸部３により、一方に対し他方が自在に旋回するよう連結し、その連結軸部３には、一方に対する他方の回動を一方向の回動に規制するワンウエイクラッチ４を組込んでなる蒲団押さえ。
【請求項２】
ゲート状に形成した外側枠体１および内側枠体２のそれぞれの縦杆１１・２１の垂下長さを、外側枠体１の縦杆１１と内側枠体２の縦杆２１との隣接した対向する同志の間において長・短に差異のある長さに設定しておくことを特徴とする請求項１記載の蒲団押さえ。
【請求項３】
ゲート状に形成した外側枠体１および内側枠体２のそれぞれの縦杆１１・２１の垂下長さを、外側枠体１の縦杆１１と内側枠体２の縦杆２１との隣接した対向する同志の間において長・短に差異のある長さに設定し、そのそれぞれの縦杆１１・２１の下端部に、周面が縦杆１１・２１の径より大径の球面状をなす張出部５を、装設しておくことを特徴とする請求項１記載の蒲団押さえ。
【請求項４】
連結軸部３を、内側枠体２の天板部２０の長手方向の中心部位の上面側に設けた円柱状の軸部３０に、外側枠体１の天板部１０の長手方向の中心部位の下面側に設けた内周面が前記軸部３０の外周面に対応する筒状の嵌合筒部３１を嵌合させて形成し、その軸部３０の外周面と嵌合筒部３１の内周面との間に、ラチェット歯４０とラック４１とからなるワンウエイクラッチ４を介装したことを特徴とする請求項１記載の蒲団押さえ。
【請求項５】
連結軸部３を、内側枠体２の天板部２０の長手方向の中心部位の上面側に設けた円柱状の軸部３０と外側枠体１の天井部１０の長手方向の中心部位の下面側に設けた内周面が前記軸部３０の外周面に対応する有底の筒状の嵌合筒部３１との嵌合により形成し、かつ、前記軸部３０には、それの上面の中心部位に、開裂により径方向に拡縮する銛状の係止部材３３を立設し、嵌合筒部３１にはそれの底面の中心部位に、前記係止部材３３を嵌合させる係合穴３４を形設したことを特徴とする請求項１記載の蒲団押さえ。
【請求項６】
連結軸部３に、介装したワンウエイクラッチ４を、ラチェット歯４０とラック４１とで形成し、それのラチェット歯４０を、ラック４１に対し噛み合う位置と噛み合いから外れた位置との間を可動に組込み、バネ６０により噛み合い位置に向け押し出すよう付勢し、かつ、そのバネ４２の付勢に抗してラチェット歯４０を噛み合いから外れた位置に押し込む操作部材６１を連結軸部３に装設しておくことを特徴とする請求項１記載の蒲団押さえ。
【発明の詳細な説明】
【技術分野】
【０００１】
本発明は、物干竿またはベランダの手すりなどに蒲団を掛けて２つ折り状に垂れ下がらせた状態として陽に干すときに、風であおられても、掛けた蒲団が物干竿または手すりなどから、ずり落ちることのないように、蒲団の折り返し部位に、蒲団を物干竿または手すりに対して挟み付けるように装着しておく蒲団押さえに関する。
【背景技術】
【０００２】
従前の蒲団押さえＡは、例えば、図１にあるように、弧状に弯曲して一対に対向する２本のレバーａ・ｂを、それらの一端側に設ける連結軸ｃにより、他端側が回動端となって、対向間隔を拡縮させるよう開閉回動自在に連結し、その開閉回動する一対のレバーａ・ｂの間で、回動端から離れて連結軸ｃに寄る部位に、それらレバーａ・ｂを互いに近寄らせる方向に付勢するバネｄを装設して、対向する回動端がバネｄの圧力で閉じ合わされるようにした構成のものとしていて、竿Ｐまたは手すりに掛けた蒲団Ｆを押さえ付けるように使用するときには、一対に対向するレバーａとレバーｂとを、両手の左右の手でそれぞれ握り、バネｄの付勢に抗して左右に開き、その状態で、開いた回動端側の開放口を、図３にあるよう、竿Ｐまたは手すりに掛けた蒲団Ｆの折り返し部の外面側に、上から被せるように挿し込んで、その挿し込みが終えたところで、開放回動させていた力を放し、握っていた手を離すことで、一対のレバーａ・ｂの回動端部に設けた押圧部ｅと押圧部ｅとがバネｄの付勢により蒲団Ｆを挟み込んで竿Ｐまたは手すりに蒲団Ｆを押さえ付けるようにしている構造のものである。
【０００３】
この従来手段の蒲団押さえＡは、掛けた蒲団Ｆを押さえ付けるように使用するとき、一対のレバーａ・ｂを、トレーニングのエキスパンダーのように、両手で引き開き、かつ、その開いた状態を、蒲団Ｆの折り返し部に挿入し終えるまで保持し続けなければならず、また、取り外すときも同様であり、そのため、持続的な力が必要であり、操作が厄介である。さらに、蒲団の折り返し部に挿し込んでいくとき、また、取り外すときに、対向するレバーａ・ｂの開度が不充分なときに、押圧部ｅ・ｅが蒲団の表生地に摺接して傷めることが生ずる問題があり、また、強い風が吹いて、掛けた蒲団の裾がまくりあげられたときに、バネｄのバネ圧で閉じられている蒲団押さえＡの左右のレバーａ・ｂが、蒲団に押されてバネｄのバネ圧に抗して開くようになることで、蒲団に対し上方にずり上がり、押さえた蒲団から外れてしまう問題がある。
【発明の開示】
【発明が解決しようとする課題】
【０００４】
本発明において解決しようとする問題点は、蒲団押さえが、竿または手すりに掛けた蒲団の折り返し部に対し挟み付けるように装着するときに、持続的に大きな力を要し、装着の操作が厄介な点の解決と、風で蒲団がまくり上げられたときの蒲団による外圧で蒲団押さえＡの一対のレバーａ・ｂがバネｄのバネ圧に抗して開くようになるのを、外圧を受けることで伸び出すバネｄを用いずに、蒲団を押さえるレバーａ・ｂを、外圧を受けても伸びやずれを生じない、機械的な手段により、蒲団を押さえる位置に保持せしめるようにして解決する点にある。
【課題を解決するための手段】
【０００５】
本発明においては、上述の問題を解決するための手段として、請求項１に記載した如く、
正面視においてゲート状に形成した外側枠体１の内側に、略相似のゲート状に形成した内側枠体２を、略嵌合状態に重ね合わせ、それら内・外の枠体１・２を、それらの各天板部１０・２０の中心部位に設けた連結軸部３により、一方に対し他方が自在に旋回するよう連結し、その連結軸部３には、一方に対する他方の回動を一方向の回動に規制するワンウエイクラッチ４を組込んでなる蒲団押さえ。
を提起し、また、これに併せて、請求項２に記載した、
ゲート状に形成した外側枠体１および内側枠体２のそれぞれの縦杆１１・２１の垂下長さを、外側枠体１の縦杆１１と内側枠体２の縦杆２１との隣接した対向する同志の間において長・短に差異のある長さに設定しておくことを特徴とする請求項１記載の蒲団押さえ。
を提起し、さらに請求項３に記載した、
ゲート状に形成した外側枠体１および内側枠体２のそれぞれの縦杆１１・２１の垂下長さを、外側枠体１の縦杆１１と内側枠体２の縦杆２１との隣接した対向する同志の間において長・短に差異のある長さに設定し、そのそれぞれの縦杆１１・２１の下端部に、周面が縦杆１１・２１の径より大径の球面状をなす張出部５を、装設しておくことを特徴とする請求項１記載の蒲団押さえ。
および請求項４に記載した、
連結軸部３を、内側枠体２の天板部２０の長手方向の中心部位の上面側に設けた円柱状の軸部３０に、外側枠体１の天板部１０の長手方向の中心部位の下面側に設けた内周面が前記軸部３０の外周面に対応する筒状の嵌合筒部３１を嵌合させて形成し、その軸部３０の外周面と嵌合筒部３１の内周面との間に、ラチェット歯４０とラック４１とからなるワンウエイクラッチ４を介装したことを特徴とする請求項１記載の蒲団押さえ。
および請求項５に記載した、
連結軸部３を、内側枠体２の天板部２０の長手方向の中心部位の上面側に設けた円柱状の軸部３０と外側枠体１の天井部１０の長手方向の中心部位の下面側に設けた内周面が前記軸部３０の外周面に対応する有底の筒状の嵌合筒部３１との嵌合により形成し、かつ、前記軸部３０には、それの上面の中心部位に、開裂により径方向に拡縮する銛状の係止部材３３を立設し、嵌合筒部３１にはそれの底面の中心部位に、前記係止部材３３を嵌合させる係合穴３４を形設したことを特徴とする請求項１記載の蒲団押さえ。
および請求項６に記載した、
連結軸部３に、介装したワンウエイクラッチ４を、ラチェット歯４０とラック４１とで形成し、それのラチェット歯４０を、ラック４１に対し噛み合う位置と噛み合いから外れた位置との間を可動に組込み、バネ６０により噛み合い位置に向け押し出すよう付勢し、かつ、そのバネ４２の付勢に抗してラチェット歯４０を噛み合いから外れた位置に押し込む操作部材６１を連結軸部３に装設しておくことを特徴とする請求項１記載の蒲団押さえ。
を提起するものである。
【発明の効果】
【０００６】
本発明による蒲団押さえは、蒲団を陽干しのために、竿またはベランダの手すりなどに、２つ折りに折り畳んだ状態に掛け、その折り返し部分を竿または手すりに対し挟み付けるように押さえつけるときに、外側枠体１を内側枠体２に対し、連結軸部３に装備せしめたワンウエイクラッチ４により回転が規制される方向と逆方向に所望角度回動させ、外側枠体１の縦杆１１と内側枠体２の縦杆２１との対向間隔を、２つ折りに折畳まれた蒲団Ｆの折り返し部の厚さよりも拡げた状態として、この状態で、対向する縦杆１１と縦杆２１とを、蒲団Ｆの折り返し部の前後に振り分けた状態で、その折り返し部に上方から挿し込み、次いで、縦杆１１と縦杆２１との間隔を閉じ合わせるように、外側枠体１を内側枠体２に対し回動させていけば、蒲団Ｆは対向する外側枠体１の縦杆１１と内側枠体２の縦杆２１とで、挟み込まれた状態となって竿Ｐまたは手すりに閉じ込まれて保持されるようになり、そのとき、外側枠体１に対し内側枠体２を相対的に回動させた押し込み作動を開放すれば外側枠体１に対し内側枠体２はワンウエイクラッチ４により戻り回動が阻止されることで、蒲団Ｆを挟み付けた状態に保持される。従って、蒲団Ｆの折り畳み部を挟み込ませるために、外側枠体１の縦杆１１と内側枠体２の縦杆２１との間隔を拡げておくのが、持続的な力を全く要しないようになり、蒲団Ｆの折り畳み部い挿し込んだときに、外側枠体１と内側枠体２とを閉じ合わせるよう押し込めばよいので、蒲団Ｆを挟持するよう装着する操作が著しく容易になる。
【０００７】
また、蒲団Ｆを押さえ付けるのが、ワンウエイクラッチ４により戻り回動が阻止される外側枠体１と内側枠体２との間の回動により、蒲団Ｆに対し押し込んだ縦杆１１と縦杆２１とで行なうことから、その押し込んだ縦杆１１と縦杆２１とが、外圧を受けても、伸びやずれを生ぜしめないラチェット歯４０とラック４１との噛み合いによる機械的な手段で押さえ込み位置に保持されるので、風で蒲団Ｆがまくり上げられてもそれにより、蒲団押さえＡがずり上がって蒲団から外れるようになることはなく、蒲団Ｆを確実に保定するようになる。
【０００８】
また、陽干しを終えた蒲団を取り込むために、蒲団押さえを蒲団から外すときは、外側枠体１の縦杆１１と内側枠体２の縦杆２１とが、互いにずれた位置において蒲団Ｆを押さえて、竿Ｐまたは手すりの長手方向において蒲団Ｆを波状に屈曲させた状態として挟持していることで、縦杆１１・２１の軸線方向においては蒲団Ｆに対する圧着がないことから、蒲団押さえＡを上方に引き上げることにより、簡単に蒲団Ｆから外れてくるので、取り外しも、殆ど力を要さずに行える。
【０００９】
このとき、外側枠体１の縦杆１１と内側枠体２の縦杆２１の長さに、長短に差を持たせている場合にあっては、長さを短くした側の縦杆２１が上になるように、蒲団押さえＡを少し横に寝かせた姿勢として、短くした側の縦杆２１を蒲団の表面から浮き勝手にした状態として蒲団押さえＡを引き抜くようにすれば、この蒲団押さえＡの抜き取り、取り外しは一層楽なものとなる。
【００１０】
さらに、連結軸部３に内装したワンウエイクラッチ４を、それのラチェット歯４０のラック４１との噛み合いが操作部材６１の作動により解除し得るようにしてあるときは、この操作部材６１を操作してワンウエイクラッチ４の機能が無い状態とすれば、外側枠体１に対し内側枠体２が正逆何れの方向にも自由に回動するようになるから、馬鹿みたいに簡単に抜き取れるようになる。
【発明を実施するための最良の形態】
【００１１】
次に、本発明手段の実施の態様を実施例の図面に従い説明する。
【実施例１】
【００１２】
図４乃至図１０は本発明による蒲団押さえＡを示し、図４は組立てた状態の正面図、図５は同上の側面図、図６は組立て途上の正面図、図７は組立てた状態の斜視図、図８は組立てた蒲団押さえＡの外側枠体１を内側枠体２に対し回動させた状態の斜視図、図９は同上の要部の縦断正面図、図１０は連結軸部３の横断平面図である。
【００１３】
図において、Ａは蒲団押さえの全体、１はそれの外側枠体、２は内側枠体、３は連結軸部、４は連結軸部３に組込んだワンウエイクラッチを示す。
【００１４】
本発明手段の蒲団押さえＡは、図１１乃至図１５に示すように、左右に長い平板状の天板部１０とそれの左右の両端部に垂直に垂下するようそれぞれ連結した左右の縦杆１１・１１とにより正面視においてゲート状に成形した外側枠体１と、図１６乃至図２０に示しているように、前述の天板部１０よりも少し短くした平板部２０とそれの左右の両端部にそれぞれ垂直に垂下するよう連結した左右の縦杆２１・２１とにより、正面視においてゲート状に成形した内側枠体２とを、それらの一方の天板部２０の長手方向の中心部位に装設した軸部３０と他方の天板部１０の長手方向の中心部位に装設した嵌合筒部３１との嵌め合いにより成形される連結軸部３によって、互いに回動するように連結し、その連結軸部３には、外側枠体１と内側枠体２との相対回動を正回転と逆回転のうちの一方だけに規制するワンウエイクラッチ４を内装することで構成している。
【００１５】
正面視においてゲート状に成形する外側枠体１および内側枠体２は、それらの各天板部１０・２０の両端部に垂下するように設ける縦杆１１・２１を、この実施例においては、図４および図５にあるように、垂直に垂下する直杆状に形成し、かつ、４本の縦杆１１・２１のそれぞれの垂下長さが異なるように形成しているが、図２１〜図２２に示す実施例２にあるように、長さを揃えたものとしてもよい。
【００１６】
また、これら縦杆１１・２１は、下半側が天板部１０・２０と平面視において直交する方向に張り出すよう屈曲させた形状に形成しておき、これにより、外側枠体１と内側枠体２とを相対的に回動させて、それらの縦杆１１・２１が蒲団Ｆを挟み付けるようになったときに、竿Ｐまたは手すりから下方に離れる蒲団Ｆだけの部分の挟み付けを強くするようにする場合がある。
【００１７】
外側枠体１および内側枠体２は、木材、金属材、合成樹脂材などの適宜の素材を用いて形成してよいものであるが、樹脂材を用いて成形加工により形成するときは、成形型からの抜き取りを容易にするために、天板部１０・２０の両端部に設ける縦杆１１・２１を直杆状に成形する。
【００１８】
５は、この直杆状に成形した各縦杆１１・２１の下端側に設ける前述の張出部であり、ゴム、または軟質の樹脂材により、各縦杆１１・２１とは別体に成形して、各縦杆１１・２１の下端部に袴状に嵌着するようにしている。
【００１９】
この袴状の張出部５は、図４、図５にあるように、縦杆１１・２１の径より大径で、周面が略球面状をなすように形成し、図９にあるよう各縦杆１１・２１の下端に嵌合することで装着する。
【００２０】
外側枠体１と内側枠体２とを、互いに旋回するよう軸着連結する連結軸部３は、回動軸芯の軸部３０とそれの外周に嵌合する嵌合筒部３１とで構成する通常のものであり、金属材等により外側枠体１および内側枠体２とは別体に組立てておいて、それの軸部３０側と嵌合筒部３１側とを、外側枠体１および内側枠体２のそれぞれの天板部１０・２０の中心部位に組付けることで、外側枠体１に対し内側枠体２を旋回自在とする連結軸部３を構成するようにしてよい。
【００２１】
この実施例においては、外側枠体１と内側枠体２とを樹脂材により成形するときに、内側枠体２の天板部２０の長手方向の中心部位の上面側に、軸部３０を、短く立ち上がる円柱状に成形して形設し、外側枠体１の天板部１０の長手方向の中心部位の下面側に、嵌合筒部３１を、下方に開放する有底の筒状に成形して形設しておいて、外側枠体１と内側枠体２と上下に重合させることで、この円柱状の軸部３０と下向きの筒状の嵌合筒部３１とが嵌合して、連結軸部３を組立てるようにしている。
【００２２】
そして、この実施例では、円柱状の軸部３０の上端面３０ａには、軸芯部位に、上端側に銛状の係止爪３２を具備する軸杆状の係止部材３３を立設し、また下向きの筒状の嵌合筒部３１の底壁３１ａには、前記軸杆状の係止部材３３が嵌入する嵌合穴３４を形設しておき、かつ、係止部材３３には径方向に圧縮されたときに、外径の縮小を許容せしめる開裂３５を形設しておいて、円柱状の軸部３０に筒状の嵌合筒部３１を被せて嵌め合わせるときに、この銛状の係止部材３３が嵌合穴３４に嵌入していき、上端の銛状の係止爪３２が嵌合穴３４の上面に露出して径を拡げることで嵌合穴３４の上面に係止することにより、連結軸部３が組立てられるようにしている。
【００２３】
この連結軸部３内に組込むワンウエイクラッチ４は、この実施例においては、内側枠体２の上面側に装設した円柱状の軸部３０の周面の一部に、図９および図１０にあるように、切欠凹部３６を形設し、かつ、それの周壁の一部に、軸線方向を上下方向とした軸穴３７を、それの穴壁の一部が切欠凹部３６内に開放するよう形設し、この軸穴３７に図９・図１０に示している如く、一端側にヒンジとなる軸杆４００を設けたラチェット歯４０の前記軸杆４００を嵌挿することで、その軸杆４００中心に、ラチェット歯４０が切欠凹部３６内においてドア状に回動するようにし、このラチェット歯４０に、回動端の歯先を外周側に押し出すバネ４２を連繋し、また、嵌合筒部３１の内壁面には、前記ラチェット歯４０の歯先４０１と噛み合う係合歯を銛歯状に連続させたラック４１を、周方向に連続するよう環状に形設することで、図１０において、嵌合筒部３１が二重線の矢印に示す反時計方向に回動するときはこれを許容し、時計方向に回動するときはこれを阻止するように構成している。
【実施例２】
【００２４】
図２１・図２２は、別の実施例を示している。この例は、外側枠体１の縦杆１１と内側枠体２の縦杆２１の垂下長さを、四本とも同じ長さに揃えたものとした例であり、この点を除いたその余の構成は、前述の実施例１のものと変わりない。
【実施例３】
【００２５】
図２３・図２４は、上述の実施例におけるワンウエイクラッチ機構４に、解除手段６を組込んだ実施例を示している。
【００２６】
この例においては、ラチェット歯４０は、それの上下の巾寸法を、切欠凹部３６の深さ寸法に対し小さく形成して、軸杆４００が軸穴３７内を上下にスライドするようにし、かつ、下面側にラチェット歯を押し上げるバネ６０を作用させてある。またラック４１は、嵌合筒部３１の内壁面の、上半側にだけ設け、下半側においては、ラチェット歯４０の歯先に噛み合うラック４１の歯部を削除した大径の平滑面に形成しておいて、ラチェット歯４０をバネ６０の付勢に抗して下降させることで、ラック４１との噛み合いが解除されるようにしてある。そして、連結軸部３の上面側を蓋するキャップ３ａには、昇降する操作部材６１を設けて、それの先端側を、嵌合筒部３１の底壁３１ａの下面側に突出させ、その突出端を、軸部３０の上端面の上方に、軸部３０には回転方向に係合して上下にスライドするよう設けた環状板６２の上面に衝合させ、その環状板６２の下面に、ラチェット歯４０の上端面に衝合する突起６３を設けておくことで解除手段６を構成している。
【００２７】
そして、これにより、操作部材６１を押し込むことで、環状板６２を下降させ、それの突起６３がラチェット歯４０をバネ６０の付勢に抗して押し下げ、ラック４１の歯部が切除されたところにラチェット歯４０を位置させることにより、ワンウエイクラッチ４の機能を解除し、外側枠体１が内側枠体２に対し正逆の何れの方向にも自由に旋回する状態となるようにしている。
【図面の簡単な説明】
【００２８】
【図１】従前の蒲団押さえの正面図である。
【図２】同上蒲団押さえの蒲団を押さえた使用状態の説明図である。
【図３】同上蒲団押さえの蒲団に装着するときの説明図である。
【図４】本発明を実施せる蒲団押さえの正面図である。
【図５】同上蒲団押さえの側面図である。
【図６】同上蒲団押さえの、組立て途上の正面図である。
【図７】同上蒲団押さえの、組立てた状態の斜視図である。
【図８】同上蒲団押さえの外側枠体を内側枠体に対し旋回させた状態の斜視図である。
【図９】同上蒲団押さえの連結軸部の縦断正面図である。
【図１０】同上蒲団押さえの連結軸部の横断平面図である。
【図１１】同上蒲団押さえの外側枠体の正面図である。
【図１２】同上蒲団押さえの外側枠体の平面図である。
【図１３】同上蒲団押さえの外側枠体の底面図である。
【図１４】同上蒲団押さえの外側枠体の側面図である。
【図１５】同上蒲団押さえの外側枠体の縦断正面図である。
【図１６】同上蒲団押さえの内側枠体の正面図である。
【図１７】同上蒲団押さえの内側枠体の平面図である。
【図１８】同上蒲団押さえの内側枠体の底面図である。
【図１９】同上蒲団押さえの内側枠体の側面図である。
【図２０】同上蒲団押さえの内側枠体の縦断正面図である。
【図２１】同上蒲団押さえの、別の実施例の正面図である。
【図２２】同上蒲団押さえの同上実施例の側面図である。
【図２３】同上蒲団押さえの、さらに別の実施例の連結軸部の縦断正面図である。
【図２４】同上蒲団押さえの、同上連結軸部の部分の拡大縦断面図である。
【図２５】同上蒲団押さえの使用状態の説明図である。
【符号の説明】
【００２９】
Ａ…蒲団押さえ、Ｆ…蒲団、Ｐ…竿、ａ・ｂ…レバー、ｃ…連結軸、ｄ…バネ、ｅ…押圧部、１…外側枠体、２…内側枠体、３…連結軸部、３ａ…キャップ、４…ワンウエイクラッチ、５…張出部、６…解除手段、１０…天板部、１１…縦杆、２０…天板部、２１…縦杆、３０…軸部、３０ａ…上端面、３１…嵌合筒部、３１ａ…底壁、３２…係止爪、３３…係止部材、３４…係合穴、３５…開裂、３６…切欠凹部、３７…軸穴、４０…ラチェット歯、４１…ラック、４２…バネ、６０…バネ、６１…操作部材、６２…環状板、６３…突起、４００…軸杆、４０１…歯先。
【図１】
2006204424.tif 000003
【図２】
2006204424.tif 000004
【図３】
2006204424.tif 000005
【図４】
2006204424.tif 000006
【図５】
2006204424.tif 000007
【図６】
2006204424.tif 000008
【図７】
2006204424.tif 000009
【図８】
2006204424.tif 000010
【図９】
2006204424.tif 000011
【図１０】
2006204424.tif 000012
【図１１】
2006204424.tif 000013
【図１２】
2006204424.tif 000014
【図１３】
2006204424.tif 000015
【図１４】
2006204424.tif 000016
【図１５】
2006204424.tif 000017
【図１６】
2006204424.tif 000018
【図１７】
2006204424.tif 000019
【図１８】
2006204424.tif 000020
【図１９】
2006204424.tif 000021
【図２０】
2006204424.tif 000022
【図２１】
2006204424.tif 000023
【図２２】
2006204424.tif 000024
【図２３】
2006204424.tif 000025
【図２４】
2006204424.tif 000026
【図２５】
2006204424.tif 000027